(57)【要約】【課題】八階以上に積み上げることが可能であり、錆び難く、断熱効果、防音効果、および耐震効果が優れている建築物を提供する。【解決手段】建築物本体１０、１０ａは、複数のフロア１１が設けられており、各フロア１１は少なくとも一つの収容空間１２、１２ａを有し、各収容空間１２、１２ａは外部と連通する開口１４を有する。対外出入り区域２０は、縦方向に沿うように建築物本体１０、１０ａに設けられており、各収容空間１２、１２ａと連通する。コンテナハウス３０は、各開口１４を経由して各収容空間１２、１２ａに移動可能に入れられており、少なくとも一つの側板が展開して収容空間１２、１２ａの床面に当接可能であり、収容空間１２、１２ａと連通可能である。【選択図】図２
0003200930.tif 000002
【実用新案登録請求の範囲】
【請求項１】
複数のフロアが設けられており、各前記フロアが少なくとも一つの収容空間を有し、各前記収容空間は外部と連通する開口を有する建築物本体と、
縦方向に沿うように前記建築物本体に設けられており、各前記収容空間と連通する少なくとも一つの対外出入り区域と、
各前記開口を経由して各前記収容空間に移動可能に収容されており、少なくとも一つの側板が展開して前記収容空間の床面に当接可能であり、これにより、前記収容空間と連通可能な複数のコンテナハウスと、
を備えることを特徴とする建築物。
【請求項２】
前記対外出入り区域は、各前記フロアの隣接する前記収容空間の間に設けられており、
各前記収容空間は、出入りドアにより、前記対外出入り区域と連通していることを特徴とする、請求項１に記載の建築物。
【請求項３】
前記対外出入り区域には、階段およびエレベーターのうち少なくとも一方が設けられていることを特徴とする、請求項１に記載の建築物。
【請求項４】
前記コンテナハウスは、立方体形状を呈し、互いに平行である上板および底板、互いに平行である第１の側板および第２の側板、ならびに、互いに平行である前側板および後側板を有し、
前記第１の側板および前記第２の側板は、前記前側板および前記後側板の幅より大きい幅を有し、展開可能であり、展開されると、各前記収容空間の床面に当接し、前記第１の側板が前記出入りドアに向いていることを特徴とする、請求項２に記載の建築物。
【請求項５】
各前記コンテナハウスは、複数の移動可能式隔壁を有し、前記移動可能式隔壁にドアおよび窓が設けられていることを特徴とする、請求項４に記載の建築物。
【請求項６】
前記コンテナハウスと前記開口との間に間隔が形成されており、各前記開口に壁部が設けられており、各前記壁部に欠け口が設けられており、前記欠け口により、前記コンテナハウスを前記収容空間に入れることが可能であることを特徴とする、請求項４に記載の建築物。
【請求項７】
前記壁部は、前記欠け口の両側に移動可能式の引き壁が設けられており、前記引き壁が前記欠け口を遮蔽することが可能であることを特徴とする、請求項６に記載の建築物。
【請求項８】
前記コンテナハウスは、内部に、複数の家具、複数の家電、少なくとも一つの衛生設備、および、少なくとも一つの台所設備が設けられていることを特徴とする、請求項４に記載の建築物。
【請求項９】
前記衛生設備と前記台所設備とは、前記底板に対向する位置に設けられていることを特徴とする、請求項８に記載の建築物。
【請求項１０】
前記第１の側板は、前記第２の側板の展開面積より小さい展開面積を有することを特徴とする、請求項４に記載の建築物。
【請求項１１】
前記コンテナハウスが前記収容空間内に固定されているとき、前記前側板が前記開口に向いていることを特徴とする、請求項１０に記載の建築物。
【請求項１２】
前記コンテナハウスが前記収容空間内に固定されているとき、前記第２の側板が前記開口に向いていることを特徴とする、請求項１０に記載の建築物。
【請求項１３】
前記第１の側板の展開面積は、前記第２の側板の展開面積と同じであることを特徴とする、請求項４に記載の建築物。
【請求項１４】
前記コンテナハウスが前記収容空間内に固定されているとき、前記前側板が前記開口に向いていることを特徴とする、請求項１３に記載の建築物。
【請求項１５】
前記コンテナハウスが前記収容空間内に固定されているとき、前記第２の側板が前記開口に向いていることを特徴とする、請求項１３に記載の建築物。
【考案の詳細な説明】
【技術分野】
【０００１】
本考案は、建築物に関し、特に、建築物本体と複数のコンテナハウスとを備えるモジュール化されたコンテナハウスを用いる建築物に関するものである。
【背景技術】
【０００２】
コンテナは、立方体形状を呈し、そして過剰となり、家の価格が高くなるため、コンテナをコンテナハウスに改造することが多くなる。コンテナハウスは、住宅、移動式商店や一般的な商店などとして利用可能である。そしてコンテナは、立方体形状を呈し、分解及び移動が容易であるため、複数のコンテナハウスを積み上げることにより、住宅や商業ビルとして利用可能である。
【０００３】
しかし、コンテナハウスは、八階以上に積み上げることができず、熱伝導効果が良いため、夏が暑くて冬が寒く、暮らし難く、雨に降られると錆びしやすく、防音効果が良くなく、地震が発生すると、揺れて倒れやすいという問題がある。
【考案の概要】
【考案が解決しようとする課題】
【０００４】
本考案の主な目的は、八階以上に積み上げることが可能であり、錆び難く、断熱効果、防音効果、および耐震効果が優れている建築物を提供することにある。
【課題を解決するための手段】
【０００５】
本考案の建築物は、建築物本体、対外出入り区域、および、コンテナハウスを備える。建築物本体は、複数のフロアが設けられており、各フロアは少なくとも一つの収容空間を有し、各収容空間は外部と連通する開口を有する。対外出入り区域は、縦方向に沿うように建築物本体に設けられており、各収容空間と連通する。コンテナハウスは、各開口を経由して各収容空間に移動可能に収容されており、少なくとも一つの側板が展開して収容空間の床面に当接可能であり、これにより、収容空間と連通可能である。
【０００６】
本考案の建築物によると、対外出入り区域は、各フロアの隣接する収容空間同士の間に設けられている。各収容空間は、出入りドアにより、対外出入り区域と連通する。
【０００７】
本考案の建築物によると、対外出入り区域には、階段およびエレベーターのうち少なくとも一つが設けられている。
【０００８】
本考案の建築物によると、コンテナハウスは、立方体形状を呈し、互いに平行である上板および底板、互いに平行である第１の側板および第２の側板、ならびに、互いに平行である前側板および後側板を有し、
第１の側板および第２の側板は、前側板および後側板の幅より大きい幅を有し、展開可能であり、展開されると、各収容空間の床面に当接し、第１の側板が出入りドアに向いている。
【０００９】
本考案の建築物によると、各コンテナハウスは、複数の移動可能式隔壁を有し、移動可能式隔壁にドアおよび窓が設けられている。
【００１０】
本考案の建築物によると、コンテナハウスと開口との間に間隔が形成されており、各開口に壁部が設けられており、各壁部に欠け口が設けられており、欠け口により、コンテナハウスを収容空間に入れることが可能である。
【００１１】
本考案の建築物によると、壁部は、欠け口の両側に移動可能式の引き壁が設けられており、引き壁が欠け口を遮蔽することが可能である。
【００１２】
本考案の建築物によると、コンテナハウスは、内部に、複数の家具、複数の家電、少なくとも一つの衛生設備、および、少なくとも一つの台所設備が設けられている。
【００１３】
本考案の建築物によると、衛生設備と台所設備とは、底板に対向する位置に設けられている。
【００１４】
本考案の建築物によると、第１の側板は、第２の側板の展開面積より小さい展開面積を有する。
【００１５】
本考案の建築物によると、コンテナハウスが収容空間内に固定されているとき、前側板が開口に向いている。
【００１６】
本考案の建築物によると、コンテナハウスが収容空間内に固定されているとき、第２の側板が開口に向いている。
【００１７】
本考案の建築物によると、第１の側板の展開面積は、第２の側板の展開面積と同じである。
【００１８】
本考案の建築物によると、コンテナハウスが収容空間内に固定されているとき、前側板が開口に向いている。
【００１９】
本考案の建築物によると、コンテナハウスが収容空間内に固定されているとき、第２の側板が開口に向いている。
【００２０】
本考案の建築物によれば、次のような効果がある。
（１）各収容空間に各コンテナハウスをそれぞれ入れると、各コンテナハウスを、住宅、ショップや事務所として使用可能である。これにより、本考案の建築物は、住宅ビルや商業ビルなどとして使用可能である。
【００２１】
（２）建築物本体を設けることにより、コンテナハウスが外部の水と直接に接触しないため、コンテナハウスが錆びし難く、防音効果が良くなる。そして太陽がコンテナハウスに直接に照射しないため、断熱効果がよくなり、暮らしやすくなる。
【００２２】
（３）コンテナハウスを八階以上に積み上げることが可能である。そして地震が発生しても、コンテナハウスが揺れて倒れにくい。
【００２３】
（４）本考案の建築物は、従来のビルに比べて、建築全体の建築コストを低減可能であり、そして建築工数を有効に低減可能である。
【００２４】
（５）コンテナハウスは、地球環境に優しく、移動することが可能であり、そして基本的な内装工事が行ったため、引っ越すときに、ハウスに内装工事を再度に行うことが必要ない。
【図面の簡単な説明】
【００２５】
【図１】本考案の第１の実施形態に係る建築物本体を示す斜視図である。
【図２】本考案の第１の実施形態に係る各コンテナハウスが各収容空間に入れられた状態を示す図である。
【図３】本考案の第１の実施形態の使用状態を示す図であって、各コンテナハウスの前側板が開口に向き、且つ各第１の側板の展開可能な面積が各第２の側板の展開可能な面積より小さいことを示す。
【図４】本考案の第１の実施形態の使用状態を示す図であって、各家具及び各家電が希望の位置に移動され、各移動可能式隔壁が利用されて空間を仕切り、各引き壁が各欠け口を遮蔽することを示す。
【図５】本考案の第２の実施形態を示す図であって、各コンテナハウスの第２の側板が開口に向き、且つ各第１の側板の展開可能な面積が各第２の側板の展開可能な面積より小さいことを示す。
【図６】本考案の第３の実施形態を示す図であって、各コンテナハウスの前側板が開口に向き、且つ各第１の側板の展開可能な面積が各第２の側板の展開可能な面積と同じであることを示す。
【図７】本考案の第４の実施形態を示す図であって、各コンテナハウスの第２の側板が開口に向き、且つ各第１の側板の展開可能な面積が各第２の側板の展開可能な面積と同じであることを示す。
【考案を実施するための形態】
【００２６】
以下、本考案の実施形態を図面に基づいて説明する。
（第１の実施形態）
図１は本考案の第１の実施形態に係る建築物本体を示す外観図である。図２は本考案の第１の実施形態に係る各コンテナハウスが各収容空間に入れられた状態を示す図である。図３は、本考案の第１の実施形態の使用状態を示す図であって、各コンテナハウスの前側板が開口に向き、且つ各第１の側板の展開可能な面積が各第２の側板の展開可能な面積より小さいことを示す。図４は、本考案の第１の実施形態の使用状態を示す図であって、各家具及び各家電が希望の位置に移動され、各移動可能式隔壁が利用されて空間を仕切り、各引き壁が各欠け口を遮蔽することを示す。本実施形態に係る建築物１００は、建築物本体１０と、少なくとも一つの対外出入り区域２０と、複数のコンテナハウス３０と、を含む。
【００２７】
建築物本体１０は、鉄筋コンクリート建築材料、強固なグリーン建築材料、又はその他の建築材料を採用する。建築物本体１０は複数のフロア１１を有する。フロア１１は重い荷重を受け可能である。各フロア１１は少なくとも一つの収容空間１２を有する。本実施形態では、各フロア１１は二つの収容空間１２を有し、二つの収容空間１２は横方向に沿って配列される。
【００２８】
各収容空間１２は、外部と連通する開口１４を有し、水道水、電力及びガスの供給管路（図示せず）を有する。上記の供給管路は、建築物本体１０に埋められており、又は建築物本体１０に埋められていなくてもよい。各開口１４に壁部１５が設けられている。各壁部１５に欠け口１６が設けられている。各壁部１５は、内側において、各欠け口１６の両側に移動可能式の引き壁１７が設けられている。引き壁１７により、欠け口１６を遮蔽することが可能である。
【００２９】
本実施形態では、建築物１００が建築物本体１０、１０ａを有する。建築物本体１０、１０ａの間に間隔１３がある。建築物本体１０、１０ａの開口１４、１４は、互いに反対する側にそれぞれ位置する。これにより、図２及び図３に示すように、収容空間１２、１２ａは互いに対称である。収容空間１２、１２ａは、間隔１３に向く面と、外側に向く面とには、窓９０、９０ａが複数設けられている。
【００３０】
対外出入り区域２０は、縦方向に沿うように建築物本体１０、１０ａの間に設けられている。対外出入り区域２０には、階段２１、エレベーター２２、又は階段２１及びエレベーター２２の組合が配されている。本実施形態では、建築物本体１０、１０ａの各フロア１１の収容空間１２、１２ａが二つあり、対外出入り区域２０が一つある。対外出入り区域２０は、隣接する収容空間１２、１２ａの同じ側に設けられている。これにより、各収容空間１２、１２ａは、出入りドア１８、１８ａを介して対外出入り区域２０と連通する。
【００３１】
複数のコンテナハウス３０は、各開口１４の欠け口１６を経由して各収容空間１２、１２ａに移動可能に入れられる。吊上げ方式、又は電気駆動の機械式運搬システムにより、各コンテナハウス３０を地面から収容空間１２、１２ａの外側に移動して、収容空間１２、１２ａに入れ可能である。収容空間１２、１２ａにレール（図示せず）が設けられており、コンテナハウス３０にローラ（図示せず）又はレール装置（図示せず）が設けられているため、収容空間１２、１２ａにコンテナハウス３０を入れることが容易となる。収容空間１２、１２ａにコンテナハウス３０を入れた後、固定手段によりコンテナハウス３０を固定可能である。固定手段は、コンテナハウス３０を確実に固定可能なものであれば、何れかの機構を採用してもよい。
【００３２】
コンテナハウス３０は、立方体形状を呈し、互いに平行する、上板３１と、底板３２と、互いに平行する、第１の側板３３と、第２の側板３４と、互いに平行する、前側板３５と、後側板３６と、を有する。第１の側板３３と第２の側板３４との幅は、前側板３５と後側板３６との幅より大きい。第１の側板３３と第２の側板３４とは、展開可能であり、図３に示すように、展開されたと収容空間１２、１２ａの床面に当接する。これにより、コンテナハウス３０の内部は収容空間１２、１２ａと連通する。
【００３３】
本考案の第１の実施形態では、各収容空間１２、１２ａのサイド壁１９の幅が開口１４の幅より大きい。これにより、コンテナハウス３０は、より狭い面（すなわち、前側板３５又は後側板３６）を収容空間１２、１２ａに向かせて入れる。コンテナハウス３０が収容空間１２、１２ａに固定されているときには、前側板３５が開口１４に向く。前側板３５にドア３７が設けられている。後側板３６は間隔１３に向く。各第１の側板３３の展開する面積は、各第２の側板３４の展開する面積より小さい。展開された第１の側板３３のより短い辺は、出入りドア１８、１８ａに向く。
【００３４】
各コンテナハウス３０と各開口１４との間に間隔がある。これにより、収容空間１２、１２ａにコンテナハウス３０を入れた後、引き壁１７により欠け口１６を遮蔽すると、バルコニーの空間が形成される。
【００３５】
また、コンテナハウス３０の内部には、水道水、電力及びガスを利用する設備（図示せず）が配されており、これらは、収容空間１２、１２ａの水道水、電力及びガスの供給管路と接続する。コンテナハウス３０の内部には、複数の家具４０（例えばベッド、テーブル、椅子や物置棚など）と、複数の家電５０（例えばテレビや電灯など）と、衛生設備６０と、台所設備７０とが配されている。衛生設備６０と台所設備７０とは、底板３２に対向する位置に設けられている。収容空間１２、１２ａには、第１の側板３３と第２の側板３４とに対向する位置に空調設備（図示せず）が配されている。
【００３６】
各コンテナハウス３０は、複数の移動可能式隔壁８０を有する。移動可能式隔壁８０には、ドア８１と、窓８２とが設けられている。これにより、第１の側板３３と第２の側板３４とを展開した後、各家具４０と各家電５０とを予定位置に移動して、移動可能式隔壁８０を固定すると、図４に示すように、移動可能式隔壁８０により、コンテナハウス３０とバルコニーが隔離されて、バルコニーの空間が形成される。
【００３７】
（第２の実施形態）
図５に示すように、第２の実施形態と第１の実施形態と相違する点は、収容空間１２、１２ａのサイド壁１９の幅が開口１４の幅より小さいことにある。これにより、各コンテナハウス３０は、より広い面（すなわち、第１の側板３３、又は第２の側板３４）を収容空間１２、１２ａに向かせて入れる。コンテナハウス３０が収容空間１２、１２ａに固定されているときには、第１の側板３３が間隔１３に向き、第２の側板３４が開口１４に向く。各第１の側板３３の展開する面積は、各第２の側板３４の展開する面積より小さい。展開された第１の側板３３のより短い辺は、出入りドア１８、１８ａに向く。第１の側板３３のより長い辺は間隔１３に向く。
【００３８】
本実施形態では、各壁部１５を各収容空間１２、１２ａの床面に設けて、各コンテナハウス３０を各収容空間１２、１２ａに入れた後、各壁部１５を旋回して固定する。なお、バルコニーの空間を形成する移動可能式隔壁８０は、第２の側板３４に設けられている。第２の側板３４を展開した後、移動可能式隔壁８０を展開する。
【００３９】
（第３の実施形態）
図６に示すように、第３の実施形態と第１の実施形態と相違する点は、各第１の側板３３の展開する面積は、各第２の側板３４の展開する面積と同じであることにある。
【００４０】
（第４の実施形態）
図７に示すように、第４の実施形態と第２の実施形態と相違する点は、各第１の側板３３の展開する面積は、各第２の側板３４の展開する面積と同じであり、各第１の側板３３を展開した後、各第１の側板３３のより長い辺は、各出入りドア１８、１８ａに向き、且つ間隔１３に向くことにある。
【００４１】
これにより、各コンテナハウス３０を各収容空間１２、１２ａに入れた後、第１の側板３３と第２の側板３４とを展開して、各家具４０と各家電５０とを予定位置に移動して、各移動可能式隔壁８０を固定して、各コンテナハウス３０に配されている、水道水、電力及びガスを利用する設備（図示せず）を、建築物本体１０の水道水、電力及びガスの供給管路と接続すると、各コンテナハウス３０を、住宅、ショップや事務所として使用可能である。これにより、本考案の建築物１００は、住宅ビルや商業ビルなどとして使用可能である。
【００４２】
建築物本体１０を設けることにより、各コンテナハウス３０が外部の水と直接に接触しないため、各コンテナハウス３０が錆びし難く、防音効果が良くなる。そして太陽が各コンテナハウス３０に直接に照射しないため、夏が暑くて冬が寒いことがなくなり、暮らしやすくなる。そして建築物本体１０の構造が堅固であるため、建築物本体１０のフロア１１を八階以上に積み上げることが可能である。そして地震が発生しても、コンテナハウス３０が揺れて倒れることはない。
【００４３】
一方、本考案の建築物は、コンテナハウス３０と建築物本体１０、１０ａとから構成されるため、従来のビルに比べて、建築全体の建築コストを減少可能であり、そして建築工数を有効に減少可能である。コンテナハウス３０は、地球環境に優しく、移動することが可能であり、そして基本的な内装工事が行ったため、引っ越すときに、ハウスに内装工事を再度に行うことが必要ない。
【００４４】
また、本考案に係る建築物１００は、必要によって、各フロア１１の収容空間１２、１２ａの数量を変更し、各フロア１１を、一戸建て、二戸建て、四戸建て、又は多数戸建てにすることが可能である。第１の側板３３の展開する面積は、第２の側板３４の展開する面積より小さく、又は同じであるように調整可能である。各コンテナハウス３０は、より狭い面（すなわち、前側板３５又は後側板３６）、又はより広い面（すなわち、第１の側板３３、又は第２の側板３４）を収容空間１２、１２ａに向かせて入れ可能である。各移動可能式隔壁８０とサイド壁１９とには、必要によって、窓８２、９０、９０ａとドア８１とを希望の通りに設けることが可能である。このため、建築物１００の設計の自由度は高い。
【符号の説明】
【００４５】
１０、１０ａ  建築物本体、
１１  フロア、
１２、１２ａ  収容空間、
１３  間隔、
１４  開口、
１５  壁部、
１６  欠け口、
１７  引き壁、
１９  サイド壁、
１８、１８ａ  出入りドア、
２０  対外出入り区域、
２１  階段、
２２  エレベーター、
３０  コンテナハウス、
３１  上板、
３２  底板、
３３  第１の側板、
３４  第２の側板、
３５  前側板、
３６  後側板、
３７  ドア、
４０  家具、
５０  家電、
６０  衛生設備、
７０  台所設備、
８０  移動可能式隔壁、
８１  ドア、
８２  窓、
９０、９０ａ  窓、
１００  建築物。
【図１】
0003200930.tif 000003
【図２】
0003200930.tif 000004
【図３】
0003200930.tif 000005
【図４】
0003200930.tif 000006
【図５】
0003200930.tif 000007
【図６】
0003200930.tif 000008
【図７】
0003200930.tif 000009